(57)【特許請求の範囲】
【請求項１】
上体(２)と、錠剤保持具(３)と、切断刃(４)と、下体(５)とからなり、錠剤保持具(３)が錠剤(２０)を保持し切断刃(４)が錠剤(２０)を切断し得る錠剤切断器において、前記上体(２)は錠剤投入口(２ａ)を有し且つ第１の位置から第２の位置まで回動可能に第１の支点(６ａ)で下体(５)に支承され、前記錠剤保持具(３)は前記切断刃(４)の少なくとも刃先が前記錠剤(２０)を切込み得るように溝(３ａ)を有し、しかも、上体(２)が第１の位置にあるとき錠剤投入口(２ａ)に接続し錠剤(２０)が投入され錠剤(２０)を保持し且つ上体(２)が第２の位置にあるとき下体(５)側に回動し少なくとも前記刃先が錠剤(２０)を切込んで錠剤(２０)を切断し、切断された錠剤を下体(５)上に排出し得るべく第２の支点(６ｂ)で支承されるとともに上体(２)側に付勢されてなることを特徴とする錠剤切断器。
【請求項２】
前記上体(２)が、上下逆のほぼバスタブ状に形成され且つ下体(５)がほぼバスタブ状に形成されてなる請求項1記載の錠剤切断器。
【請求項３】
支承板(６)が前記下体(５)に設けられ、前記第１の支点(６ａ)及び第２の支点(６ｂ)が該支承板(６)に設けられてなる請求項１記載の錠剤切断器。
【請求項４】
支承板(６)が前記上体(２)に設けられ、前記第１の支点(６ａ)及び第２の支点(６ｂ)が該支承板(６)に設けられてなる請求項１記載の錠剤切断器。
【請求項５】
前記支承板(６)の上辺が前記第１の位置を規定する請求項３記載の錠剤切断器。
【請求項６】
前記切断刃(４)が前記下体(５)に設けられてなる請求項１記載の錠剤切断器。
【請求項７】
斜辺板(１２)が前記下体(５)に設けられるとともに押込み部材(９)が前記上体(２)に設けられ、上体(２)が第２の位置にあるとき、該押込み部材(９)が前記錠剤保持具(３)を、該斜辺板(１２)の斜辺が規定する位置まで下体(５)側に押し込み、切断された錠剤を下体(５)上に排出し得る請求項６記載の錠剤切断器。
【請求項８】
弾性板(７)と、該弾性板(７)が取付けられる弾性板取付け部材(８)とが下体(５)に設けられ、該弾性板(７)によって前記錠剤保持具(３)が上体(２)側に付勢され、錠剤保持具(３)が上体(２)を押し上げる請求項１記載の錠剤切断器。
【請求項９】
前記上体(２)に上係止部(１１ａ)が設けられるとともに下体(５)に下係止部(１１ｂ)が設けられ、前記錠剤保持具(３)が上体(２)側に付勢されることによって錠剤保持具(３)とともに上体(２)が押し上げられ、上体(２)の上係止部(１１ａ)が下係止部(１１ｂ)によって係止されて第１の位置が規定される請求項８記載の錠剤切断器。
【請求項１０】
錠剤収容室(１３)が前記下体(５)に設けられ、切断された錠剤が該錠剤収容室(１３)に貯留され得る請求項１記載の錠剤切断器。
【発明の詳細な説明】
【０００１】
【発明の属する技術分野】
本発明は、錠剤切断器に関する。
【０００２】
【従来の技術】
患者に薬を服用させるに際して、子ども等に服用させる場合、大人の一回分の量に対して半分以下であることが多く、大人の場合でもいわゆる容態やその心身の状態によって一回分の量を適宜に分割することがあり、薬が錠剤であると、その錠剤を所定の大きさ、即ち半分以下に分割して与えなければならない。このような場合、例えば、実公平６−４１５４６号公報記載の錠剤カッターが提案されており、このような錠剤カッターを用いて錠剤を分割している。
【０００３】
同公報記載の錠剤カッターは、図９に示したように、支持台１１３上に錠剤収納部１１２が設けられており、押台１１４上に錠剤切断刃１１１を設けて、支持台１１３と押台１１４を連結部１１５で連結して形成されている。
【０００４】
しかしながら、前記公報記載の錠剤カッターを用いると、切断刃が錠剤に当接した際、錠剤が滑ったりして錠剤の一部が崩れて粉末状になったり、錠剤の一部が欠けたりして、所望の位置で分割することができないという問題がある。
【０００５】
そこで、本出願人によって、未公知であるが、図１０に示したような錠剤切断器が提案されている。図示した錠剤切断器は、上板２０２と下板２０４の一端にそれぞれ上刃２０３と下刃２０５の２枚の刃が対向するように設けられ、この上刃２０３と下刃２０５により錠剤を切断する切断器本体と、上板２０２及び下板２０４の何れかを押圧して上刃２０３と下刃２０５の間隔を縮める押し圧手段２０６と、上刃２０３と下刃２０５間に錠剤を保持する保持手段とを具備している。このような錠剤切断器は、錠剤が欠けたり割れたりすることなく確実に所望の位置にて切断することができる効果を奏する。
【０００６】
【発明が解決しようとする課題】
図１０に示したような錠剤切断器は、不使用時に保持台２０７を切断器本体２０１内に収容でき、コンパクトであるが、使用中は保持台２０７が切断器本体２０１にほぼ直角の向きに設定される構成であるので、使用者が切断器本体２０１を保持する角度によっては、切断した錠剤がこぼれ出たり、また、上板２０２側の安定がやや保ちにくかったりすることがある。
【０００７】
本発明は、前述した問題点に鑑みてなされたものであり、錠剤が欠けたり割れたりすることなく確実に所望の位置にて切断することができ、切断した錠剤がこぼれ出ることがなく、使用者が安定して保持できる錠剤切断器を提供することを課題とする。
【０００８】
【課題を解決するための手段】
前述した課題を解決すべく、本発明の請求項１に係わる錠剤切断器は、上体２と、錠剤保持具３と、切断刃４と、下体５とからなり、錠剤保持具３が錠剤２０を保持し切断刃４が錠剤２０を切断し得る錠剤切断器において、前記上体２は錠剤投入口２ａを有し且つ第１の位置から第２の位置まで回動可能に第１の支点６ａで下体５に支承され、前記錠剤保持具３は前記切断刃４の少なくとも刃先が錠剤２０を切込み得るように溝３ａを有し、しかも、上体２が第１の位置にあるとき錠剤投入口２ａに接続し錠剤２０が投入され錠剤２０を保持し且つ上体２が第２の位置にあるとき下体５側に回動し少なくとも前記刃先が錠剤２０を切込んで錠剤２０を切断し、切断された錠剤を下体５上に排出し得るべく第２の支点６ｂで支承されるとともに上体２側に付勢されてなることを特徴とする。
【０００９】
前述した構成によれば、前記錠剤切断器は、投入された錠剤２０を所望の位置にて切断し切断された錠剤が下体５上に排出されこぼれ出ない。
【００１０】
本発明の請求項２に係わる錠剤切断器においては、前記上体２が、上下逆のほぼバスタブ状に形成され且つ下体５がほぼバスタブ状に形成されているので、錠剤保持具３や切断刃４を内部に収納させやすく、また、切断された錠剤がこぼれ出ない。
【００１１】
本発明の請求項３に係わる錠剤切断器においては、支承板６が前記下体５に設けられ、前記第１の支点６ａ及び第２の支点６ｂが該支承板６に設けられので、上体２を操作しやすい位置を支点とでき、しかも上体２が第１の位置から第２の位置まで回動可能で錠剤保持具３が上体２に連れて動くように支承できる。
【００１２】
本発明の請求項４に係わる錠剤切断器においては、支承板６が前記上体２に設けられ、前記第１の支点６ａ及び第２の支点６ｂが該支承板６に設けられるので、上体２を操作しやすい位置を支点とでき、しかも上体２が第１の位置から第２の位置まで回動可能で錠剤保持具３が上体２に連れて動くように支承できる。
【００１３】
本発明の請求項５に係わる錠剤切断器においては、前記支承板６の上辺が前記第１の位置を規定するので、簡単な構成により第1の位置を規定できる。
【００１４】
本発明の請求項６に係わる錠剤切断器においては、前記切断刃４が前記下体５に設けられるので、錠剤保持具３を下体５側に押込んで錠剤２０を切断する押込み量をかせぎやすい。
【００１５】
本発明の請求項７に係わる錠剤切断器によれば、斜辺板１２が前記下体５に設けられるとともに押込み部材９が前記上体２に設けられ、上体２が第２の位置にあるとき、該押込み部材９が前記錠剤保持具３を、該斜辺板１２の斜辺が規定する位置まで下体５側に押し込み、切断された錠剤を下体５上に排出し得るので、簡単な構成により錠剤保持具３の押込み位置を規定できる。
【００１６】
本発明の請求項８に係わる錠剤切断器においては、弾性板７と、該弾性板７が取付けられる弾性板取付け部材８とが下体５に設けられ、該弾性板７によって前記錠剤保持具３が上体２側に付勢され、錠剤保持具３が上体２を押し上げるので、弾性板７という簡単な構成により錠剤保持具３を上体２に付勢する。
【００１７】
本発明の請求項９に係わる錠剤切断器においては、前記上体２に上係止部１１ａが設けられるとともに下体５に下係止部１１ｂが設けられ、前記錠剤保持具３が上体２側に付勢されることによって錠剤保持具３とともに上体２が押し上げられ、上体２の上係止部１１ａが下係止部１１ｂによって係止されて第１の位置が規定されるので、簡単な構成により上体２を第１の位置に規定できる。
【００１８】
本発明の請求項１０に係わる錠剤切断器においては、錠剤収容室１３が前記下体５に設けられ、切断された錠剤が該錠剤収容室１３に貯留され得るので、切断された錠剤を所望の数量貯留できる。
【００１９】
【発明の実施の形態】
以下、添付図面を参照しつつ、本発明の実施の形態について説明する。
【００２０】
実施の形態１
図１は、本発明の実施の形態に係わる錠剤切断器の外観を示す側面説明図であり、図２及び図４は、その側面断面説明図であり、図３は、上面説明図である。
【００２１】
本実施の形態に係わる錠剤切断器１は、上体２と、錠剤保持具３と、切断刃４と、下体５とを主要構成要素とし、錠剤保持具３が錠剤２０を保持し、上体２を下体５に押し込むとき切断刃４が錠剤２０を切断し得るように構成される。まず、これらの主要構成要素ごとに、それぞれに付随する構成要素をあわせて説明する。
【００２２】
図２は、上体２が「第１の位置」にあるときの錠剤切断器１の断面構造を示しており、図４は、上体２が「第２の位置」まで下体５に押込まれた状態の錠剤切断器１の断面構造を示している。
【００２３】
まず、上体２及び下体５の形状は、錠剤保持具３や切断刃４を収容しやすい内部空間を有するよう側部が覆われて構成されることが好ましい。そして、本実施の形態においては、上体２は、図２に断面図で示したように、底面がやや傾斜した細長い概略バスタブ形状（洋式）の容器を逆さまにして前記底面に錠剤投入のための錠剤投入口２ａを設けた形状である。他方、下体５は底面がほぼ平坦で外径が上体２よりも少し小さい細長い概略バスタブ形状（洋式）の容器である。
【００２４】
そして、前記上体２は、下体５を基準にしてみたとき、第１の位置から第２の位置まで回動可能に第１の支点６ａで下体５に支承されており、上体２が下体５を抱き込むようにして第２の位置まで下体５に嵌合して押し込むことができる構造である。前記第１の位置は係止部１１によって規定され、第２の位置は支承板６上辺によって規定される。
【００２５】
前記係止部１１は、上係止部１１ａが上体２に設けられ、対応する下係止部１１ｂが下体５に設けられ、両者によって第１の位置が規定される。上係止部１１ａ及び下係止部１１ｂは、それぞれが互いに引っ掛かるようにそれぞれの本体に対して凸状片が形成されている。
【００２６】
そして、後述する弾性板７により上体２が上方に押し上げられる強さに対応して上係止部１１ａと下係止部１１ｂの厚さＴや幅Ｗ等が設定される。このように、係止部１１は簡単な構成により第１の位置を規定でき、上体２や下体５と同一材料で安価に形成できる。支承板６については、後述する。
【００２７】
前記錠剤投入口２ａは、図３の上面図に示されるように、「バスタブ」の底面において、その一部分の３辺に切込みをいれて該底面を下体５側に押込んで滑り台状にして形成し、錠剤２０を投入できるようにした開口部とされている。前記第１の支点６ａは、支承板６を下体５に設けて該支承板６に穿設して設ける。
【００２８】
次に、錠剤保持具３は、第２の支点６ｂで上体２に支承されている。即ち、錠剤保持具３は、上体２が第１の位置にあるとき錠剤投入口２ａに接続しており、錠剤２０が投入されたとき図示した位置で錠剤２０を保持し得る。そして、錠剤保持具３は、上体２が第２の位置まで押し込まれたとき、上体２とともに下体５側に回動しさらに押込み部材９が作用して上体２の第２の位置から、より下体５側の位置Ａ（後述する斜辺板１２の規定する位置）まで回動し切断刃４が、少なくともその刃先が錠剤２０を切込んでいって錠剤２０を切断し得るように切断刃２０の刃先が錠剤２０に達し得るように構成される。
【００２９】
前記押込み部材９は上体２の底面に、上体２が第２の位置まで押込まれたとき錠剤保持具３に押圧作用して錠剤保持具３をさらに下体５側に押込むことのできる大きさ及び位置に形成されている。押込み部材９及び錠剤保持具３は、押込み部材９の錠剤保持具３への押圧作用の繰り返しに対する耐久性を有することが好ましい。
【００３０】
さらに、錠剤保持具３は、上体２を下体５に押し込んで錠剤２０を分割するとき以外は上体２の動きに従うようにするため、後述する弾性板７が設けられてこの弾性板７によって上体２側に付勢されている。そして、錠剤保持具３には切断刃４の刃先が錠剤２０に達し得るように幅Ｄ及び長さＬの溝３ａが設けられている。尚、溝３ａは、刃先が錠剤保持具３に入り込んで来る位置を含むように設ければよい。また、錠剤保持具３は錠剤２０を保持しやすいように、図５に示すように手すり状に壁３ｂが設けられ、さらに、錠剤保持具３の壁３ｂにおいて、錠剤２０の当接する部分には錠剤２０に対する滑り止め機構を設けることができる。
【００３１】
また、錠剤保持具３を上体２に支承する前記第２の支点６ｂも支承板６上に設ける。第２の支点６ｂは、第１の支点６ａよりは内側に設けられている。
【００３２】
前記支承板６について説明する。支承板６は下体５に設けられている。即ち、支承板６の面方向が、下体５の長さ方向の中心軸に沿う方向に平行に下体５本体の両側の縁にそれぞれ隣接し下体５の底面に垂直となるように立設されている。しかも、支承板６の上辺が、上体２の前記第２の位置を規定する形状に形成されており、押込み強度等に応じた厚さ、長さの構造とすることができ、簡単な構成により第１の位置を規定できる。そして、前記第１の支点６ａ及び第２の支点６ｂが該支承板６に設けられている。
【００３３】
このように、支承板６を下体５に設け、第１の支点６ａ及び第２の支点６ｂが支承板６に設けられるので、上体２を操作しやすい位置を支点とすることができ、錠剤保持具３が上体２に連れて動くことができるので、上体２の押込み動作により錠剤２０を能率良く切断できる。また、斜辺の形状を含め、上体２の押込み強度に応じた厚さや長さ等の構造に支承板６を構成できる。
【００３４】
このようにして、第１の支点６ａで上体２と下体５とが支承され、第２の支点６ｂで錠剤保持具３と下体５とが支承される。このために、上体２及び下体５並びに錠剤保持具３には、それぞれ支点孔が穿設され、該支点孔に対応した回転軸が第１の支点６ａ及び第２の支点６ｂにそれぞれ貫挿されている。該支点孔及び回転軸は、人手による上体２の押込み動作の繰り返し等に対する耐久性を有することが好ましい。
【００３５】
次に、切断刃４について説明する。切断刃４も下体５に設けられている。即ち、切断刃４は、その面方向が下体５の中心軸に沿って下体５の底面に垂直となるように該底面の幅方向のほぼ中央に立設されている。そして、錠剤保持具３が前記位置Ａまで押込まれたとき、錠剤保持具３に保持された錠剤２０は切断されるが、切断刃４の先端が錠剤保持具３の上面や上体２に到達してしまうことのない寸法に構成されている。
【００３６】
このように切断刃４を下体５に設けると、錠剤保持具３を下体５側に押込んで錠剤２０を切断する際の押込み量をかせぎやすいので、構造の自由度を大きくできる。尚、切断刃４は下体５に対して緩い斜辺となるように刃先を形成して、切断時に切断位置にせん断力を集中できる。
【００３７】
また、切断刃４は、錠剤２０を切断する一方で破砕したりしてしまうことのないように鋭利且つ繰り返し使用による刃毀れ等の生じることのない、しかも錆等により医薬に好ましくない影響を与えることのないもの（例えば、工具鋼等）が好ましい。この切断刃４を取り替え式に構成することも勿論可能である。
【００３８】
最後に、下体５について説明する。下体５は、前述したように上体２に支承されるとともに、支承板６及び切断刃４が立設されている。さらに、下体５には錠剤収容室１３と、弾性板取付け部材８と、下係止部１１ｂと、斜辺板１２とが設けられている。
【００３９】
即ち、錠剤収容室１３は、上体２が第２の位置まで押込まれ、錠剤保持具３が押込み部材９に作用されて錠剤２０が切断されたとき、錠剤保持具３は、かなり傾斜した状態になっていて切断された錠剤２０が転動して下体５上に落下するので、切断された錠剤を収容して所定数量の錠剤を貯留できるように錠剤保持具３に接続し得る位置が仕切られて形成されることが好ましい。
【００４０】
前記錠剤収容室１３の大きさは、錠剤切断器の主たる用途（病院医院用又は家庭用等）等に応じて、所望の数量の錠剤を貯留できるように設定すればよい。このように錠剤収容室１３を設けることにより、切断された錠剤が不用意にこぼれ出たりすることなく該錠剤を安全且つ清潔に貯留できる。そして、錠剤切断器１は、切断された錠剤を取り出ししやすいように、錠剤収容室１３の任意の位置に錠剤取出口を設けたり、又は、錠剤収容室１３の部分自体を引出式やカセット式にしたりして構成することもできる。
【００４１】
前記弾性板取付け部材８は支承板６に隣接した位置に円柱状に立設され、その先端に前記弾性板７が取り付けられる構成である。図２又は図４においては弾性板取付け部材８は、支承板６の手前側に位置しているが、支承板６の向こう側であってもよい。後述するように、弾性板７は錠剤保持具３及び上体２を付勢するので大きな機械的強度を有しており、かかる弾性板７を支持する必要があるので、弾性板取付け部材８は堅牢に構成されることが好ましい。
【００４２】
前記弾性板７は、錠剤保持具３を上体２に付勢して上体２をも押し上げるとともに、押込み部材９が作用して錠剤保持具３が下体５側に押込まれたとき錠剤保持具３を支持する機械的強度を有することが好ましい。しかも、錠剤保持具３の動きの繰り返しに対する耐久性を有することが好ましい。従って、例えば、硬鋼等の炭素鋼を用いたようなばね鋼等が用いられることが好ましく、安価な材料を用いて実現できる。
【００４３】
そして、弾性板７は、例えば、ネジにより締結される等して弾性板取付け部材８に取り付けられている。また、弾性板７は、錠剤保持具３底面に当接する部分は、図示したように湾曲形状とされ、当接する際の機械的抵抗が少なくされ得る。錠剤保持具３を上体２に付勢する手段は弾性板７に限定されず、錠剤保持具３を上体２に付勢できれば、コイルバネ等を用いてもよい。
【００４４】
前記斜辺板１２は、錠剤保持具３が前記押込み部材９の作用を受けて下体５側に押込まれたとき、錠剤保持具３が最も下体５側に押込まれる位置Ａを規定するものであり、切断刃４の位置を避けた位置に下体５底面に垂直に立設されている。図においては、切断刃４の向こう側のもののみ図示されている。斜辺板１２は、簡単な構成により錠剤保持具３の押込み位置を規定でき、押込み強度等に応じた厚さや長さ等の構造とすることができる。
【００４５】
以上説明した各構成要素の材質等に関し、切断刃４及び弾性板７については個々に説明したので、その他の構成要素について説明する。他の構成要素は、錠剤が主に医薬品を対象とするという観点からは、切断された錠剤に対して好ましくない影響を与える材料以外の材料であって、消毒や滅菌上の問題のない材料が好ましい。また、帯電防止材を用いることもでき、防塵等の観点から好ましい。さらに、医薬品以外、例えば食品の錠剤であっても、同様の要件を考慮して材料が選定され得る。
【００４６】
また、錠剤切断器１を手軽に、即ち、少々手荒にも用いるという観点からは、構造的強度が優れているとともに、支承板６や弾性板取付け部材８を下体と一体に形成したり、錠剤収容室１３を仕切って形成したりし得る材料が好ましい。従って、例えば、合成樹脂を成形型に従って一体成形する手法が好ましい。
【００４７】
以上、本実施の形態に係る錠剤切断器１の構成について説明した。この錠剤切断器１の使用方法は、以上の説明から明らかであるが、簡略に述べる。
【００４８】
図６は、錠剤切断器１の上体２及び錠剤保持具３の動きを概念的に示した側面断面図である。使用者は、錠剤２０を錠剤投入口２ａから１個ずつ投入する。投入された錠剤２０は錠剤保持具３の最も奥の位置で保持される。上体２を下体５側に押込むと、錠剤保持具３が下体５側に押込まれ、錠剤２０は切断刃４によって切断される。使用者は、所望の数量の錠剤２０を投入して切断したのち、錠剤収容室１３から切断された錠剤を取り出す。
【００４９】
以上説明した構成により、本実施の形態に係る錠剤切断器１は、錠剤２０が欠けたり割れたりすることなく確実に所望の位置にて切断することができ、切断した錠剤がこぼれ出ることがなく、従って、操作性がよく、しかも使用者が安定して保持できるという効果を奏する。また、コンパクトな形状であるので、安全で携帯性もよく、小型にすると手におさめて用いるのに好都合である。
【００５０】
以下、本発明の他の実施の形態について説明するが、以下は、実施の形態１と異なる点についてのみ説明する。
【００５１】
実施の形態２
前記実施の形態１においては、第１の支点６ａ及び第２の支点６ｂを、下体５に設けた支承板６に設けたが、上体２と下体５とに第１の支点６ａを設けて両者を支承してもよい。また、第２の支点６ｂを上体２側又は支承板６以外の下体５側に設けて錠剤保持具３を支承してもよい。さらに、前記実施の形態１においては、切断刃４を下体５に設けたが、上体２に設けてもよい。
【００５２】
実施の形態３
実施の形態１においては、錠剤２０を２等分に分割する構成であったが、錠剤保持具３の溝３ａを幅広に形成しておき、切断刃４の位置を、下体５の長さ方向に直交する方向に変位させて設定し、等分でなく分割するようにできる。
【００５３】
図７は、切断刃４の設定位置を変更して錠剤切断器を構成し、錠剤２１を切断したときの錠剤の形状を示す図である。この変位させた位置で錠剤を切断することにより、図示したように、円の中心を通らない直線で円弧を切り取った形状２１ａと、その残り２１ｂという分割形状を得ることができる。本実施の形態によれば、簡単な設計変更で分割形態を変更できる。
【００５４】
実施の形態４
実施の形態１〜３においては、錠剤を２分割したが、錠剤保持具に設ける溝の形態及び切断刃の形態を図８に示したように変更して錠剤保持具３３及び切断刃３４を設け、錠剤を３分割して２２ａ、２２ｂ及び２２ｃとすることができる。本実施の形態によれば、簡単な設計変更で分割形態を３分割に変更できる。
【００５５】
【発明の効果】
本発明に係わる錠剤切断器は、錠剤保持具が、上体が第１の位置にあるとき錠剤投入口に接続し錠剤が投入され錠剤を保持し且つ上体が第２の位置にあるとき下体側に回動し切断刃の刃先が錠剤を切込んで錠剤を切断し切断された錠剤を下体上に排出し得るので、切断された錠剤を錠剤切断器内に排出する。従って、操作性がよく、しかも使用者が安定して保持できる。そして、全体を操作性のよいコンパクトな形状とでき、切断された錠剤が不用意にこぼれ出ることなく、安全且つ清潔に所望数量の錠剤を貯留できる携帯性のよい錠剤切断器を提供できる。
【図面の簡単な説明】
【図１】本発明の一実施の形態に係わる錠剤切断器の外観を示す側面説明図。
【図２】本発明の一実施の形態に係わる錠剤切断器の構造を示す側面断面説明図。
【図３】本発明の一実施の形態に係わる錠剤切断器の上面説明図。
【図４】本発明の一実施の形態に係わる錠剤切断器の構造を示す側面断面説明図。
【図５】本発明の一実施の形態に係わる錠剤保持具の主要部を示し、(ａ)はその側面図、(ｂ)はその平面図。
【図６】本発明の一実施の形態に係わる錠剤切断器の上体及び錠剤保持具の動きを概念的に示した側面断面図。
【図７】本発明の他の実施の形態に係わる錠剤切断器において切断刃の設定位置を変更して切断された錠剤を示し、(ａ)はその平面図、(ｂ)はその側面図。
【図８】本発明の他の実施の形態に係わる錠剤切断器において(ａ)は３分割に切断した錠剤の平面図、(ｂ)は錠剤保持具及び切断刃を示す上面図。
【図９】従来の錠剤切断器の例を示す斜視説明図。
【図１０】従来の錠剤切断器の例を示す斜視説明図。
【符号の説明】
１…錠剤切断器、２…上体、３…錠剤保持具、４…切断刃、５…下体、６…支承板、７…弾性板、９…押込み部材、２０…錠剤
【図１】
0004279933.tif 000002
【図２】
0004279933.tif 000003
【図３】
0004279933.tif 000004
【図４】
0004279933.tif 000005
【図５】
0004279933.tif 000006
【図６】
0004279933.tif 000007
【図７】
0004279933.tif 000008
【図８】
0004279933.tif 000009
【図９】
0004279933.tif 000010
【図１０】
0004279933.tif 000011